【手続補正書】
【提出日】平成15年9月11日(2003.9.11)
【手続補正１】
【補正対象書類名】明細書
【補正対象項目名】特許請求の範囲
【補正方法】変更
【補正の内容】
【特許請求の範囲】
【請求項１】
文書の領域情報を検索条件として入力する入力ステップと、
前記入力ステップで入力された検索条件に従って文書を検索する検索ステップと、
前記入力ステップで入力された検索条件に合致する領域を区別して前記検索ステップで検索された文書を表示するよう制御する表示制御ステップとを有することを特徴とする電子ファイリング方法。
【請求項２】
前記表示制御ステップは、前記検索条件に合致する領域のフレームを表示するよう制御することで該領域を区別して表示することを特徴とする請求項１記載の電子ファイリング方法。
【請求項３】
前記領域情報は、図形、表等の領域属性を含むことを特徴とする請求項１記載の電子ファイリング方法。
【請求項４】
前記表示制御ステップは、前記領域を前記領域属性毎に異なる形式で表示するよう制御することを特徴とする請求項３記載の電子ファイリング方法。
【請求項５】
前記表示制御ステップは、前記検索条件に合致する領域を１つずつ順番に区別して表示するよう制御することを特徴とする請求項１記載の電子ファイリング方法。
【請求項６】
前記表示制御ステップは、前記領域属性毎に領域のフレームの色を変えることで区別して表示するよう制御することを特徴とする請求項４記載の電子ファイリング方法。
【請求項７】
前記表示制御ステップは、前記領域属性毎に領域のフレームの線の種類を変えることで区別して表示するよう制御することを特徴とする請求項４記載の電子ファイリング方法。
【請求項８】
文書の領域情報を検索条件として入力する入力手段と、
前記入力手段で入力された検索条件に従って文書を検索する検索手段と、
前記入力手段で入力された検索条件に合致する領域を区別して前記検索手段で検索された文書を表示するよう制御する表示制御手段とを有することを特徴とする電子ファイリング装置。
【請求項９】
前記表示制御手段は、前記検索条件に合致する領域のフレームを表示するよう制御することで、該領域を区別して表示することを特徴とする請求項８記載の電子ファイリング装置。
【請求項１０】
前記領域情報は、図形、表等の領域属性を含むことを特徴とする請求項８記載の電子ファイリング装置。
【請求項１１】
前記表示制御手段は、前記領域を前記領域属性毎に異なる形式で表示するよう制御することを特徴とする請求項１０記載の電子ファイリング装置。
【請求項１２】
前記表示制御手段は、前記検索条件に合致する領域を１つずつ順番に区別して表示するよう制御することを特徴とする請求項８記載の電子ファイリング装置。
【請求項１３】
前記表示制御手段は、前記領域属性毎に領域のフレームの色を変えることを特徴とする請求項１１記載の電子ファイリング装置。
【請求項１４】
前記表示制御手段は、前記領域属性毎に領域のフレームの線の種類を変えることで区別して表示するよう制御することを特徴とする請求項１１記載の電子ファイリング装置。
【請求項１５】
文書の領域情報を検索条件として入力する入力モジュールと、
前記入力モジュールで入力された検索条件に従って文書を検索する検索モジュールと、
前記入力モジュールで入力された検索条件に合致する領域を区別して、前記検索モジュールで検索された文書を表示するよう制御する表示制御モジュールとを有することを特徴とする記憶媒体。
【手続補正２】
【補正対象書類名】明細書
【補正対象項目名】００１５
【補正方法】変更
【補正の内容】
【００１５】
本発明は上述した従来の技術の有するこのような問題点に鑑みてなされたものであり、その目的とするところは、文書の領域情報で検索した文書の表示において、検索条件に合致する文書中の領域を容易に確認することができる電子ファイリング方法及び装置並びに記憶媒体を提供しようとするものである。


【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
【課題を解決するための手段】
上記目的を達成するために本発明の電子ファイリング方法は、文書の領域情報を検索条件として入力する入力ステップと、前記入力ステップで入力された検索条件に従って文書を検索する検索ステップと、前記入力ステップで入力された検索条件に合致する領域を区別して前記検索ステップで検索された文書を表示するよう制御する表示制御ステップとを有することを特徴とするものである。


【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】変更
【補正の内容】
【００２３】
また、上記目的を達成するために本発明の電子ファイリング装置は、文書の領域情報を検索条件として入力する入力手段と、前記入力手段で入力された検索条件に従って文書を検索する検索手段と、前記入力手段で入力された検索条件に合致する領域を区別して前記検索手段で検索された文書を表示するよう制御する表示制御手段とを有することを特徴とするものである。


【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】削除
【補正の内容】
【手続補正２５】
【補正対象書類名】明細書
【補正対象項目名】００３８
【補正方法】削除
【補正の内容】
【手続補正２６】
【補正対象書類名】明細書
【補正対象項目名】００３９
【補正方法】削除
【補正の内容】
【手続補正２７】
【補正対象書類名】明細書
【補正対象項目名】００４０
【補正方法】変更
【補正の内容】
【００４０】
更に、上記目的を達成するために本発明の記憶媒体は、文書の領域情報を検索条件として入力する入力モジュールと、前記入力モジュールで入力された検索条件に従って文書を検索する検索モジュールと、前記入力モジュールで入力された検索条件に合致する領域を区別して、前記検索モジュールで検索された文書を表示するよう制御する表示制御モジュールとを有することを特徴とするものである。


【手続補正２８】
【補正対象書類名】明細書
【補正対象項目名】００４１
【補正方法】削除
【補正の内容】
【手続補正２９】
【補正対象書類名】明細書
【補正対象項目名】００８２
【補正方法】変更
【補正の内容】
【００８２】
また、図１４は、図２のステップＳ２０４において作成されるページ情報の構成を示す図である。同図に示すようにページ情報は、文書のイメージデータ１４０１と、文字領域情報１４０２と、領域情報１４０３とから構成される。文字領域情報１４０２は、文字領域の領域情報と、その文字領域の文字列の文字数と文字コードとから構成される。領域情報１４０３は、文字領域以外の領域属性の領域情報である。


【手続補正３０】
【補正対象書類名】明細書
【補正対象項目名】０１００
【補正方法】変更
【補正の内容】
【０１００】
【発明の効果】
以上詳述したように本発明によれば、検索領域条件を設定して検索した文書の表示において、検索領域条件に合致する文書中の領域を容易に確認することができるという効果を奏する。


【手続補正３１】
【補正対象書類名】明細書
【補正対象項目名】０１０１
【補正方法】削除
【補正の内容】
【手続補正３２】
【補正対象書類名】明細書
【補正対象項目名】０１０２
【補正方法】削除
【補正の内容】